(57)【特許請求の範囲】
【請求項１】
それぞれが第１の印刷特性を有する第１の面と、第１の印刷特性とは異なる第２の印刷特性を有する第２の面とを有する複数のカットシートに、カットシート印刷システムによってデジタルドキュメントを印刷して、複数のカットシートのうち対向する２枚のシートによって形成された見開きを有する最終製品をもたらすための方法であって、
最終製品の見開きの、対応するカットシートの第１の印刷特性を有する面に印刷するように意図されたデジタルドキュメントのそれぞれのデジタル画像を印刷するステップ、または
最終製品の見開きの、対応するカットシートの第２の印刷特性を有する面に印刷するように意図されたデジタルドキュメントのそれぞれのデジタル画像を印刷するステップを含み、
第１の印刷特性および第２の印刷特性は、画像がカットシートに印刷される前に、既に決定されている、方法。
【請求項２】
デジタルドキュメントの第１のデジタル画像が、複数のカットシートのうち１枚のカットシートの第１の面に印刷されるように割り当てられ、デジタルドキュメントの第２のデジタル画像が、このカットシートの第２の面に印刷されるように割り当てられ、また、
複数のカットシートが、カットシート印刷シーケンスの順番に配置される方法であって、
カットシートに対して第１のデジタル画像および第２のデジタル画像をそれぞれカットシートの一方の面に印刷するステップであって、
カットシートに印刷するステップが、
カットシートがカットシート印刷シーケンスの順番における第１の数学的パリティである場合には、
（ａ）カットシートの第１の面に第１のデジタル画像を印刷するステップと、
（ｂ）カットシートの第２の面に第２のデジタル画像を印刷するステップとを含み、
また、
カットシートがカットシート印刷シーケンスの順番における第１の数学的パリティ以外の第２の数学的パリティである場合には、
（ｃ）カットシートの第１の面に第２のデジタル画像を印刷するステップと、
（ｄ）カットシートの第２の面に第１のデジタル画像を印刷するステップとを含む、請求項１に記載の方法。
【請求項３】
第１の数学的パリティのカットシートに対して、カットシートを印刷する前に第１のデジタル画像と第２のデジタル画像を交換し、カットシートの第１の面および第２の面に印刷した後、第１の面と第２の面に関してカットシートを裏返すステップを含む、請求項２に記載の方法。
【請求項４】
第１の数学的パリティのカットシートに対して、カットシートの第１の面および第２の面を印刷する前に、第１の面と第２の面に関してカットシートを裏返すステップを含む、請求項２に記載の方法。
【請求項５】
カットシートを裏返すステップが２重ループモジュールによって達成される、請求項３または４に記載の方法。
【請求項６】
第１の印刷特性および第２の印刷特性がカットシートの媒体特性によって決定される、請求項１に記載の方法。
【請求項７】
第１の印刷特性および第２の印刷特性が、カットシートの第１の面の印刷プロセスとカットシートの第２の面の印刷プロセスとの間の差によって決定される、請求項１に記載の方法。
【請求項８】
複数のカットシートのうちの１枚に対して、そのカットシートの第１の面が第１の印刷ユニットによって印刷され、そのカットシートの第２の面が第１の印刷ユニットではなく第２の印刷ユニットによって印刷される、請求項７に記載の方法。
【請求項９】
第１の印刷特性および第２の印刷特性が、カットシートの第１の面および第２の面が印刷されるシーケンスの順番によって決定される、請求項１に記載の方法。
【請求項１０】
デジタルドキュメントが２アップの小冊子または折り丁である、請求項１に記載の方法。
【請求項１１】
それぞれが第１の印刷特性を有する第１の面と、第１の印刷特性とは異なる第２の印刷特性を有する第２の面とを有する複数のカットシートにデジタルドキュメントを印刷して、複数のシートのうち対向する２枚のシートによって形成された見開きを有する最終製品をもたらすためのカットシート印刷システムであって、複数のカットシートにデジタルドキュメントのデジタル画像を印刷するための少なくとも１つの印刷ユニットと、最終製品の見開きに印刷するように意図された少なくとも１つのデジタル画像を決定するための決定手段を備える制御ユニットと、最終製品の見開きの、対応するカットシートの第１の印刷特性を有する面に印刷するように意図されたデジタルドキュメントのそれぞれのデジタル画像をスケジューリングするか、または、最終製品の見開きの、対応するカットシートの第２の印刷特性を有する面に印刷するように意図されたデジタルドキュメントのそれぞれのデジタル画像をスケジューリングするように構成されたスケジューリング手段とを備え、第１の印刷特性および第２の印刷特性は、画像がカットシートに印刷される前に、既に決定されている、カットシート印刷システム。
【請求項１２】
複数のカットシートが、所定のカットシート印刷シーケンスの順番に配置され、複数のカットシートのうちの１枚に対して、デジタルドキュメントの第１のデジタル画像が、このカットシートの第１の面に印刷されるように割り当てられ、デジタルドキュメントの第２のデジタル画像が、このカットシートの第２の面に印刷されるように割り当てられるカットシート印刷システムであって、複数のカットシートのうち１枚のカットシートの１つの面にデジタル画像を印刷するための印刷エンジンと、ドキュメントの複数のデジタル画像を、所定のカットシート印刷シーケンスの順番にスケジューリングするように構成されたスケジューリングモジュールとを備え、カットシート印刷シーケンスの順番における第１の数学的パリティのカットシートを、印刷後に、カットシートの第１の面および第２の面に関して裏返すように構成された裏返しモジュールをさらに備え、スケジューリングモジュールが、第１の数学的パリティのカットシートに割り当てられた第１のデジタル画像と第２のデジタル画像を、カットシートを裏返す前に交換するように構成されている、請求項１１に記載のカットシート印刷システム。
【請求項１３】
複数のカットシートが、所定のカットシート印刷シーケンスの順番に配置され、複数のカットシートのうちの１枚に対して、デジタルドキュメントの第１のデジタル画像が、このカットシートの第１の面に印刷されるように割り当てられ、デジタルドキュメントの第２のデジタル画像が、このカットシートの第２の面に印刷されるように割り当てられるカットシート印刷システムであって、カットシートの１つの面にデジタル画像を印刷するための印刷エンジンと、ドキュメントの複数のデジタル画像を、所定のカットシート印刷シーケンスの順番にスケジューリングするように構成されたスケジューリングモジュールとを備え、カットシート印刷シーケンスの順番における第１の数学的パリティのカットシートを、印刷前に、カットシートの第１の面および第２の面に関して裏返すように構成された裏返しモジュールをさらに備える、請求項１２に記載のカットシート印刷システム。
【請求項１４】
カットシートの両面印刷を可能にするための２重ループモジュールを備えるカットシート印刷システムであって、２重ループモジュールが裏返しモジュールを備える、請求項１２または１３に記載のカットシート印刷システム。
【請求項１５】
少なくとも１つのコンピュータに対して請求項１に記載の方法の遂行を命令するように構成されたコンピュータ実行可能プログラムコードを含む、記録媒体。
【発明の詳細な説明】
【技術分野】
【０００１】
本発明は、それぞれが第１の印刷特性を有する第１の面と、第１の印刷特性とは異なる第２の印刷特性を有する第２の面とを有する複数のカットシートに、カットシート印刷システムによってデジタルドキュメントを印刷して、複数のシートのうち対向する２枚のシートによって形成された見開きを有する最終製品をもたらすための方法に関するものである。よく知られているように、見開きは、複数のシートのうち別々のシートの面である２つの隣接した面の各々の少なくとも一部分を備える。本発明は、本発明による方法を遂行するように構成されたカットシート印刷システムにさらに関するものである。
【背景技術】
【０００２】
デジタルカットシートを印刷するための印刷システムは、今日では、両面に画像を印刷されたシートを有する本および他のドキュメントの印刷用にも使用される。そのような印刷システムは、２つの印刷エンジンまたは２つの印刷ヘッドのタンデム構造を備えてよく、それぞれの印刷エンジンまたは印刷ヘッドがカットシートの所定の面に印刷する。カットシートは、一方の所定の面が上になった媒体入力ホルダから分離される。他方では、そのような印刷システムは、カットシートの片側面に印刷する第１の印刷動作とカットシートの反対面に印刷する第２の印刷動作の間にカットシートを反転するための反転ユニットを備え得る。第１の印刷動作および第２の印刷動作は、同一の印刷ヘッドもしくは印刷エンジンまたは別の印刷ヘッドもしくは印刷エンジンによって行われてよい。カットシートは、カットシート印刷シーケンスの順番で印刷される。たとえば本が印刷される場合、ページ１および２は第１のカットシートの両面に印刷されてよく、ページ３および４はページ１および２の印刷後に第２のカットシートの両面に印刷されてよい。たとえば偶数のｎページを備えた小冊子または折り丁が印刷される場合、ページ１およびｎがカットシートの第１の面に印刷されてよく、ページ２およびｎ−１が同じカットシートの第２の面に印刷されてよく、カットシートに対する印刷が終了した後、カットシートが半分に折り重ねられてよい。
【０００３】
図４は、先行技術による、最終製品の両面印刷のための、カットシートの印刷シーケンスおよび対応する見開きの例を示す。図７は、カットシートの両面印刷のための先行技術の方法の例を示す。図４は、カットシート１、２の両面に両面印刷するための、１および２と番号付けられたカットシートの面の印刷シーケンスＰＳを示す。１と番号付けられたカットシートは、テキスト「１：前面」によって示される前面と、テキスト「１：背面」によって示され、数「２」が備わっている背面とを有する。２と番号付けられたカットシートは、テキスト「２：前面」によって示された前面と、テキスト「２：背面」によって示された背面とを有する。最終製品においてカットシート１および２の両面上の続くページに印刷されるべき複数の画像は、大きい字の「１」、「２」、「３」および「４」が備わっている画像である。次に、複数の画像の印刷順序を、図７に示されるような先行技術による方法の流れ図と組み合わせて説明する。開始点Ａは第１のステップＳ１に通じる。第１のステップＳ１によって、１と番号付けられたカットシートが、カットシート印刷システムの入力ホルダから分離されて印刷エンジンへ移送される。第２のステップＳ２によって、１と番号付けられたカットシートの前面に、大きい字の「１」を表すビットマップが印刷される。第３のステップＳ３によって、１と番号付けられたカットシートが、知られている両面印刷ループモジュールへ移送され、両面印刷ループモジュールによって裏返される。第４のステップＳ４によって、１と番号付けられたカットシートが印刷エンジンに再び移送されて、１と番号付けられたカットシートの背面に、大きい字の「２」を表すビットマップが印刷される。第５のステップＳ５によって、１と番号付けられたカットシートが、カットシート印刷システムの出力ホルダに置かれる。第６のステップＳ６によって、２と番号付けられたカットシートが、カットシート印刷システムの入力ホルダから分離されて印刷エンジンへ移送される。第７のステップＳ７によって、２と番号付けられたカットシートの前面に、大きい字の「３」を表すビットマップが印刷される。第８のステップＳ８によって、２と番号付けられたカットシートが、両面印刷ループモジュールに再び移送されて、両面印刷ループモジュールによって裏返される。第９のステップＳ９によって、２と番号付けられたカットシートが印刷エンジンに再び移送されて、２と番号付けられたカットシートの背面に、大きい字の「４」を表すビットマップが印刷される。第１０のステップＳ１０によって、２と番号付けられたカットシートが、カットシート印刷システムの出力ホルダに置かれる。この方法は終了点Ｂにおいて終了する。ステップＳ１−Ｓ５は並行して実行されてよく、またはステップＳ６−Ｓ１０が挟まれてもよい。
【０００４】
もたらされる見開きＲＳ（図４を参照されたい）は、数「２」および「３」を表すビットマップの印刷を有する２つの続くページが見開きを形成することを示す。数「２」を有するこの見開きの第１のページが、１と番号付けられたカットシートの背面に印刷されており、数「３」を有するこの見開きの第２のページが、２と番号付けられたカットシートの前面に印刷されている。見開きは、異なる印刷特性の面に印刷されている。
【０００５】
すべてのカットシートが印刷された後、印刷されたカットシートは、印刷ドキュメントへと収集されてよい。印刷ドキュメントが備えるページ続きの記事では、見開きの左側部分がカットシートの第１の面に印刷されており、見開きの右側部分が別のカットシートの第２の面に印刷されている。見開きは、通常、カットシート印刷シーケンスの順番で続くカットシートに印刷されてよい。カットシートの第１の面がカットシートの第２の面とは異なる印刷特性を有するので、色の一貫性の差のような印刷品質の一貫性の差が、印刷ドキュメントにおいて特に見開きに現われる可能性がある。
【発明の概要】
【発明が解決しようとする課題】
【０００６】
本発明の目的は、カットシート印刷システムに印刷されるドキュメント内の見開きにおける印刷品質の一貫性に達する方法を提供することである。
【課題を解決するための手段】
【０００７】
本発明によれば、この目的は、前文による方法によって達成され、この方法は、最終製品の見開きの、対応するカットシートの第１の印刷特性を有する面に印刷するように意図されたデジタルドキュメントのそれぞれのデジタル画像を印刷するステップ、または最終製品の見開きの、対応するカットシートの第２の印刷特性を有する面に印刷するように意図されたデジタルドキュメントのそれぞれのデジタル画像を印刷するステップを含む。
【０００８】
そうすることによって、見開きにおける面の印刷特性が同一であるため、ドキュメントのページ続きの記事において一貫した印刷品質が達成される。一実施形態によれば、デジタルドキュメントの第１のデジタル画像が、複数のカットシートのうち１枚のカットシートの第１の面に印刷されるように割り当てられ、デジタルドキュメントの第２のデジタル画像が、カットシートの第２の面に印刷されるように割り当てられて、複数のカットシートが、カットシート印刷シーケンスの順番に配置され、この方法は、第１のデジタル画像および第２のデジタル画像をそれぞれカットシートの一方の面に印刷するステップを含み、カットシートに印刷するステップは、カットシートが、カットシート印刷シーケンスの順番における第１の数学的パリティであれば、カットシートの第１の面に第１のデジタル画像を印刷し、カットシートの第２の面に第２のデジタル画像を印刷するステップと、カットシートが、カットシート印刷シーケンスの順番における第１の数学的パリティとは異なる第２の数学的パリティであれば、カットシートの第１の面に第の２デジタル画像を印刷し、カットシートの第２の面に第１のデジタル画像を印刷するステップとを含む。
【０００９】
１アップドキュメント、２アップドキュメント、小冊子、または折り丁のような続く見開きを有するドキュメントでは、ドキュメントの２つのページが、見開きの片側面および見開きの反対面を決定する。これら２つのページは、１アップドキュメントの場合には続くものでよく、または２アップドキュメントもしくは折り丁の場合には、ページの番号に関して相補的でよい。この方法を適用することにより、カットシートがカットシート印刷シーケンスの順番における第１の数学的パリティであれば、見開きに対応するデジタル画像は、見開きにおける２枚のシートの各々の第１の面に印刷され、または、カットシートがカットシート印刷シーケンスの順番における第２の数学的パリティあれば、見開きにおける２枚のシートの各々の第２の面に印刷される。これは、第１の例では、見開きに対応するデジタル画像が、カットシート印刷シーケンスの順番における偶数のカットシートの場合には、見開きにおける２枚のシートの各々の第１の面に印刷され、または、カットシート印刷シーケンスの順番における奇数のカットシートの場合には、見開きにおける２枚のシートの各々の第２の面に印刷されることを意味する。これは、第２の例では、見開きに対応するデジタル画像が、カットシート印刷シーケンスの順番における奇数のカットシートの場合には、見開きにおける２枚のシートの各々の第１の面に印刷され、または、カットシート印刷シーケンスの順番における偶数のカットシートの場合には、見開きにおける２枚のシートの各々の第２の面に印刷されることを意味する。
【００１０】
一実施形態によれば、この方法は、カットシートを印刷する前に、第１の数学的パリティのカットシートに関してカットシートの第１のデジタル画像と第２のデジタル画像を交換して、カットシートの第１の面と第２の面に印刷した後に、第１の面と第２の面に関してカットシートを裏返すステップを含む。第１の数学的パリティのカットシートに印刷するように意図された第１のデジタル画像と第２のデジタル画像を交換するステップは、いくつかのやり方で達成され得る。カットシート印刷システムの制御ユニットがＲＩＰラスタライザへ送られるＰＤＬ言語のデジタルドキュメントを受け取ると、リッピングされた画像が、設定された記憶装置に記憶され、リッピングされて記憶された画像が印刷ヘッドまたはマーキング印刷エンジンに送られ、カットシートの第１の面にページ２を印刷し、カットシートの第２の面にページ１を印刷するために２つのシナリオが続き得る。第１のシナリオによれば、ＲＩＰラスタライザは、設定された記憶装置に対してＰＤＬドキュメントを通常の順番で処理し、設定された記憶機構の中にページ１用の第１のビットマップおよびページ２用の第２のビットマップをもたらす。印刷ヘッドまたはマーキング印刷エンジンは、最初に、設定された記憶機構から、印刷のために第２のビットマップを読み取り、次いで、設定された記憶機構から、印刷のために第１のビットマップを読み取る。第２のシナリオによれば、カットシート印刷システムの制御ユニットによって示されるように、ＲＩＰラスタライザは最初にページ２を処理し、次いでページ１を処理する。ページ２は、カットシートの第１の面に印刷するように、設定された記憶装置に記憶され、ページ１は、カットシートの第２の面に印刷するように、設定された記憶装置に記憶される。裏返すステップは、カットシート平面の軸に沿ってカットシートを裏返すステップである。カットシート平面の軸は、カットシートの対向するエッジの中間点を通るラインでよい。裏返すステップは、第１の数学的パリティのカットシートを、印刷ドキュメントの正しい読取り順序に対して正確な順番で出力ステーションに置くために行われるものである。対応するビットマップの交換は、カットシート印刷システムの制御ユニットによって制御される。
【００１１】
一実施形態によれば、この方法は、第１の数学的パリティのカットシートに対して、カットシートの第１の面および第２の面を印刷する前に、第１の面と第２の面に関してカットシートを裏返すステップを含む。これは、以前の実施形態のようなビットマップの交換が回避される場合には有利である。裏返すステップは、カットシート平面の軸に沿ってカットシートを裏返すステップである。カットシート平面の軸は、カットシートの対向するエッジの中間点を通るラインでよい。
【００１２】
一実施形態によれば、カットシートの裏返しは、２重ループモジュールによって達成される。両面印刷するため、すなわちカットシートの両面を印刷するために、当業者は２重ループモジュールを使用し得る。２重ループモジュールは、カットシートの片側面が印刷された後、カットシートの第２の面が印刷される前に、カットシートを裏返すように構成されている。２重ループモジュールは、カットシート印刷システムによるカットシート用の紙経路の一部分である。２重ループモジュールは、本発明の方法を適用するために、カットシートの付加的な裏返しにも使用され得る。
【００１３】
一実施形態によれば、第１の印刷特性および第２の印刷特性が、カットシートの媒体特性によって決定される。そのような媒体特性は、印刷に対して演繹的に決定される印刷特性である。カットシートには、第１の面（物理的前面）および第２の面（物理的背面）があり得、これらは、カットシートの第１の面および第２の面にもたらされる印刷に関して異なるものである。ほとんどのカットシートがシートのパッケージで配置されるので、そのような媒体特性はパッケージの位置によるものでよく、たとえば、パッケージの中の各シートの上側が第１の印刷特性を有し、パッケージの中の各シートの下側が第２の印刷特性を有する。媒体特性は、インクまたはトナーのような記録材料のカットシート媒体に対する接着性でよく、カットシートの物理的前面と物理的背面とに対して異なるものである。媒体特性によって決定されるカットシートの印刷特性は、あらゆる画像がカットシートに印刷される前に、既に決定されている。
【００１４】
一実施形態によれば、第１の印刷特性および第２の印刷特性は、印刷プロセスにおける差と、カットシートの第１の面の印刷とカットシートの第２の面の印刷の間の印刷の相互作用とによって決定される。そのような印刷特性は、印刷に対して帰納的に決定される印刷特性である。そのような印刷特性は、カットシート印刷システムによるカットシートの印刷テストの後に確立されてよい。印刷プロセスは、カットシートの第１の面が印刷エンジンまたは印刷ヘッドのような第１の印刷ユニットによって印刷され、カットシートの第２の面が印刷エンジンまたは印刷ヘッドのような第２の印刷ユニットによって印刷される、といったものでよい。第１の面と第２の面が、異なる印刷ユニットによって印刷されるという事実により、カットシートの第１の面とカットシートの第２の面の印刷品質が異なる可能性がある。本発明の方法によって印刷されたドキュメントの見開きでは、見開きの両面が第１の印刷ユニットによって印刷されるか、または見開きの両面が第２の印刷ユニットによって印刷されるので、そのような違いは解消される。カットシートに対して、カットシートの第１の面が第１の印刷ユニットによって印刷され、カットシートの第２の面が第１の印刷ユニットではなく第２の印刷ユニットによって印刷される。
【００１５】
一実施形態によれば、第１の印刷特性および第２の印刷特性は、カットシートの第１の面および第２の面が印刷されるシーケンスの順番によって決定される。たとえば、カットシートが、印刷ユニットによって、特定の温度または特定の湿度において片側面に印刷される場合、カットシートの反対面は、同じ印刷ユニットで、異なる温度または湿度においてそれぞれ印刷される可能性があり、このことが、片側面と反対面の間の印刷品質の差をもたらし得る。別のさらなる実施形態では、複数のカットシートのうちの１枚に対して、そのカットシートの第１の面が第１の印刷ユニットによって印刷され、そのカットシートの第２の面が第１の印刷ユニットではなく第２の印刷ユニットによって印刷される。
【００１６】
この方法の一実施形態によれば、デジタルドキュメントは２アップの小冊子または折り丁である。本発明によるこの方法は、２アップの小冊子または折り丁にも適用され得る。２アップの小冊子または折り丁のカットシートが印刷後に折り重ねられるとき、見開きは、依然としてカットシートの同じ面である。最終製品の見開きに印刷するように意図された２アップの小冊子または折り丁のデジタル画像は、２アップの小冊子または折り丁の少なくとも２つのページ向けのデジタル画像を含む。
【００１７】
本発明は、それぞれが、第１の印刷特性を有する第１の面と、第１の印刷特性とは異なる第２の印刷特性を有する第２の面とを有する複数のカットシートに対するカットシート印刷システムであって、複数のシートのうち対向する２枚のシートによって形成された見開きを有する最終製品をもたらす、デジタルドキュメントを印刷するためのカットシート印刷システムにも関するものであり、このカットシート印刷システムは、複数のカットシートにデジタルドキュメントのデジタル画像を印刷するための少なくとも１つの印刷ユニットと、最終製品の見開きに印刷するように意図された少なくとも１つのデジタル画像を決定するための決定手段を備える制御ユニットと、最終製品の見開きの、対応するカットシートの第１の印刷特性を有する面に印刷するように意図されたデジタルドキュメントのそれぞれのデジタル画像をスケジューリングするか、または、最終製品の見開きの、対応するカットシートの第２の印刷特性を有する面に印刷するように意図されたデジタルドキュメントのそれぞれのデジタル画像をスケジューリングするように構成されたスケジューリング手段とを備える。
【００１８】
カットシート印刷システムの一実施形態によれば、複数のカットシートが、所定のカットシート印刷シーケンスの順番に配置され、複数のカットシートのうち１枚のカットシートに対して、デジタルドキュメントの第１のデジタル画像がカットシートの第１の面に印刷されるように割り当てられ、デジタルドキュメントの第２のデジタル画像がカットシートの第２の面に印刷されるように割り当てられ、この印刷システムは、複数のカットシートのうち１枚のカットシートの１つの面にデジタル画像を印刷するための印刷エンジンと、ドキュメントの複数のデジタル画像を、所定のカットシート印刷シーケンスの順番にスケジューリングするように構成されたスケジューリングモジュールとを備え、カットシート印刷シーケンスの順番における第１の数学的パリティのカットシートを、印刷後に、カットシートの第１の面および第２の面に関して裏返すように構成された裏返しモジュールをさらに備え、スケジューリングモジュールは、第１の数学的パリティのカットシートに割り当てられた第１のデジタル画像と第２のデジタル画像を、カットシートを裏返す前に交換するように構成されている。
【００１９】
カットシート印刷システムの一実施形態によれば、複数のカットシートが、所定のカットシート印刷シーケンスの順番に配置され、複数のカットシートのうち１枚のカットシートに対して、デジタルドキュメントの第１のデジタル画像がカットシートの第１の面に印刷されるように割り当てられ、デジタルドキュメントの第２のデジタル画像がカットシートの第２の面に印刷されるように割り当てられ、この印刷システムは、カットシートの面にデジタル画像を印刷するための印刷エンジンと、ドキュメントの複数のデジタル画像を、所定のカットシート印刷シーケンスの順番にスケジューリングするように構成されたスケジューリングモジュールとを備え、カットシート印刷シーケンスの順番における第１の数学的パリティのカットシートを、印刷前に、カットシートの第１の面および第２の面に関して裏返すように構成された裏返しモジュールをさらに備える。
【００２０】
一実施形態によれば、カットシート印刷システムはカットシートの両面印刷を可能にするための２重ループモジュールを備え、２重ループモジュールは裏返しモジュールを備える。
【００２１】
本発明は、本発明による方法を遂行するために少なくとも１つのコンピュータに命令するように構成されたコンピュータ実行可能プログラムコードを含んでいる記録媒体にもさらに関するものである。以下に示される詳細な説明から、本発明の適用可能性のさらなる範囲が明らかになるであろう。しかしながら、当業者には、この詳細な説明から、本発明の範囲内の様々な変更形態および修正形態が明らかになるはずであるため、詳細な説明および具体例は、本発明の実施形態を示す一方で、説明としてのみ与えられることを理解されたい。
【図面の簡単な説明】
【００２２】
【図１】本発明によるカットシート印刷システムの概略構成を示す図である。
【図２】本発明によるカットシート印刷システムの概略構成を示す図である。
【図３】本発明によるカットシート印刷システムの概略構成を示す図である。
【図４】先行技術による、両面印刷のためのカットシートの印刷シーケンスおよび対応する最終製品の見開きを示す図である。
【図５】本発明の方法による、両面印刷のためのカットシートの印刷シーケンスおよび対応する最終製品の見開きを示す図である。
【図６】本発明の方法による、両面印刷のためのカットシートの印刷シーケンスおよび対応する最終製品の見開きを示す図である。
【図７】カットシートを両面印刷するための先行技術の方法を示す図である。
【図８】本発明による方法の一実施形態を示す図である。
【図９】本発明による方法の一実施形態を示す図である。
【発明を実施するための形態】
【００２３】
次に、複数の実施形態が図面とともに説明されることになり、図面では、同じ参照数字は類似の要素を参照する。
【００２４】
図１は、本発明によるカットシート印刷システム１０の第１の概略構成である。カットシート印刷システム１０は、複数のカットシートを保持するための入力ホルダ４と、印刷されたカットシートを保持するための出力ホルダ５とを備える。カットシートＳｈ１、Ｓｈ２、Ｓｈ３、Ｓｈ４は、移送ベルト６によって、入力ホルダ４から媒体通路に沿って出力ホルダ５まで、媒体移送方向Ａに移送される。印刷されたカットシートを、複数の見開きを備える本などの最終製品に仕上げるために、仕上げモジュール（図示せず）が、出力ホルダ５に結合されてよく、または出力ホルダ５ではなく移送ベルト６に直接結合されてもよい。カットシート印刷システム１０は、本発明の方法に従ってカットシートを裏返すための裏返しモジュール３と、カットシートの面に画像を印刷するための印刷エンジン１とをさらに備える。裏返しモジュール３は、カットシートの対向するエッジの中間点を通る軸に沿ってカットシートを裏返すように構成されてよい。裏返しモジュール３および印刷エンジン１は、裏返しプロセスおよび印刷プロセスをそれぞれ制御するための制御ユニット２に接続されている。図１において、裏返しモジュール３および印刷エンジン１は媒体通路に沿って配置されており、裏返しモジュール３が印刷エンジン１の前にある。これは、カットシートが最初に裏返しモジュール３に到着して、その後印刷エンジン１に到着することを意味する。印刷エンジン１は、カットシートＳｈ１、Ｓｈ２、Ｓｈ３、Ｓｈ４の少なくとも片側面に画像を印刷するように構成されている。印刷エンジン１は、カットシートの両面に画像を同時に印刷することができるタンデム印刷エンジンでよい。印刷エンジン１は、印刷ユニットおよび２重ループモジュールも備え得る。次いで、印刷エンジン１は、印刷ユニットによってカットシートの片側面に画像を印刷し、２重ループモジュールによってカットシートを裏返して、片側面に印刷されたカットシートを、その反対面に画像を印刷するために印刷ユニットへ再び供給するように構成される。印刷エンジン１による２度の印刷および１度の裏返しのプロセスは、印刷エンジン１を制御する制御ユニット２によって制御される、知られているプロセスである。
【００２５】
本発明の方法による、裏返しモジュール３によるカットシートの付加的な裏返しのプロセスも、制御ユニット２によって制御される。印刷エンジン１は、両面のドキュメントを印刷することに加えて、片面のドキュメントを印刷するためにも使用され得る。
【００２６】
カットシート印刷システムの代替実施形態では、入力ホルダ４と印刷エンジン１の間に裏返しモジュール３が配置されており、裏返しモジュール３と印刷エンジン１の間に追加の入力ホルダが配置されている。カットシートは、裏返しモジュール３によって裏返された後、カットシートのスタックをバッファリングするための追加の入力ホルダへと移送される。それぞれの奇数のカットシートは、裏返されず、裏返しモジュールをバイパスして、入力ホルダ４から追加の入力ホルダまで移送され、それぞれの偶数のカットシートは、入力ホルダ４から、偶数のカットシートを裏返す裏返しモジュールを通って追加の入力ホルダまで移送される。このようにして追加の入力ホルダに到着したカットシートのスタックは、本発明の方法による、見開きを有する最終製品の印刷に適切である。
【００２７】
図２は、本発明によるカットシート印刷システム２０の第２の概略構成である。カットシート印刷システム２０は、複数のカットシートを保持するための入力ホルダ１４と、印刷されたカットシートを保持するための出力ホルダ１５とを備える。カットシートＳｈ１１、Ｓｈ１３、Ｓｈ１４、Ｓｈ１５は、移送ベルト１６によって、入力ホルダ１４から媒体通路に沿って出力ホルダ１５まで、媒体移送方向Ａに移送される。印刷されたカットシートを、複数の見開きを備える本などの最終製品に仕上げるために、仕上げモジュール（図示せず）が、出力ホルダ１５に結合されてよく、または出力ホルダ１５ではなく移送ベルト１６に直接結合されてもよい。カットシート印刷システム２０は、本発明の方法に従ってカットシートを裏返すための裏返しモジュール１３と、カットシートの面に画像を印刷するための印刷エンジン１１とをさらに備える。裏返しモジュール１３および印刷エンジン１１は、裏返しプロセスおよび印刷プロセスをそれぞれ制御するための制御ユニット１２に接続されている。裏返しモジュール１３および印刷エンジン１１は媒体通路に沿って配置されているが、図１とは対照的に、図２では、裏返しモジュール１３が印刷エンジン１１の後にある。これは、カットシートが最初に印刷エンジン１１に到着して、その後裏返しモジュール１３に到着することを意味する。印刷エンジン１１は、カットシートＳｈ１１、Ｓｈ１３、Ｓｈ１４、Ｓｈ１５の少なくとも片側面に画像を印刷するように構成されている。印刷エンジン１１は、カットシートの両面に同時に印刷することができるタンデム印刷エンジンでよい。印刷エンジン１１は、印刷ユニットおよび２重ループモジュールも備え得る。次いで、印刷エンジン１１は、印刷ユニットによってカットシートの片側面に画像を印刷し、２重ループモジュールによってカットシートを裏返して、片側面に印刷されたカットシートを、その反対面に画像を印刷するために、印刷ユニットへ再び供給するように構成される。印刷エンジン１１による２度の印刷および１度の裏返しのプロセスは、印刷エンジン１１を制御する制御ユニット１２によって制御される、知られているプロセスである。本発明の方法による、裏返しモジュール１３によるカットシートの付加的な裏返しのプロセスも、制御ユニット１２によって制御される。印刷エンジン１１は、両面ドキュメントを印刷することに加えて、片面ドキュメントを印刷するためにも使用され得る。
【００２８】
図３は、本発明によるカットシート印刷システム３０の第３の概略構成である。カットシート印刷システム３０は、複数のカットシートを保持するための入力ホルダ３４と、印刷されたカットシートを保持するための出力ホルダ３５とを備える。カットシートＳｈ３１、Ｓｈ３２、Ｓｈ３３、Ｓｈ３４、Ｓｈ３５、Ｓｈ３６は、移送ベルト３６によって、入力ホルダ３４から媒体通路に沿って出力ホルダ３５まで、媒体移送方向Ａに移送される。印刷されたカットシートを、複数の見開きを備える本などの最終製品に仕上げるために、仕上げモジュール（図示せず）が、出力ホルダ３５に結合されてよく、または出力ホルダ３５ではなく移送ベルト３６に直接結合されてもよい。カットシート印刷システム３０は、印刷ユニット３７をさらに備える。印刷ユニット３７は、カットシートの両面印刷が意図されているときカットシートを裏返すため、また、本発明の方法に従ってカットシートを裏返すための裏返しモジュール３３と、カットシートの面に画像を印刷するための印刷エンジン３１とを備える。裏返しモジュール３３および印刷エンジン３１は、裏返しプロセスおよび印刷プロセスをそれぞれ制御するための制御ユニット３２に接続されている。本発明の方法によるカットシートの裏返しは、印刷ユニット３７に組み込まれている。裏返しモジュール３３は、カットシートの両面に対する両面印刷の場合にカットシートを裏返すため、ならびに本発明の方法に従ってカットシートを裏返すための２重ループモジュールとして使用される。裏返しモジュール３３と印刷エンジン３１の間の両方向矢印３８は、少なくともカットシートの片側面に印刷するとき、カットシートが印刷エンジン３１から裏返しモジュール３３へ移送されてよく、その逆方向に移送されてもよいことを示すものである。これは、本発明による方法が、カットシートの１つの面に印刷することを意図されたカットシートから少なくとも部分的に成る印刷ジョブにも適用され得ることを意味する。代替実施形態では、印刷エンジン３１および裏返しモジュール３３は媒体通路に沿って配置されているが、図３とは対照的に、印刷エンジン３１が裏返しモジュール３３の後にある。これは、カットシートが最初に裏返しモジュール３３に到着して、その後印刷エンジン３１に到着することを意味する。印刷エンジン３１は、カットシートＳｈ３１、Ｓｈ３２、Ｓｈ３３、Ｓｈ３４、Ｓｈ３５、Ｓｈ３６の少なくとも片側面に画像を印刷するように構成されている。印刷エンジン３１は、カットシートの両面に同時に印刷することができるタンデム印刷エンジンでよい。印刷ユニット３７は、裏返しモジュール３３を２重ループモジュールとして使用する。次いで、印刷エンジン３１は、印刷ユニットによってカットシートの片側面に画像を印刷し、２重ループモジュール３３によってカットシートを裏返して、片側面に印刷されたカットシートを、その反対面に画像を印刷するために印刷ユニットへ再び供給するように構成される。印刷エンジン３１および裏返しモジュール３３による２度の印刷および１度の裏返しのプロセスは、印刷ユニット３７を制御する制御ユニット１２によって制御される、知られているプロセスである。本発明の方法による、カットシートの付加的な裏返しのプロセスも、制御ユニット１２によって制御される。印刷ユニット３７は、両面ドキュメントを印刷することに加えて、片面ドキュメントを印刷するためにも使用され得る。
【００２９】
図１、図２および図３の印刷エンジン１、１１、３１のそれぞれが、カットシート媒体上に放出されるインク材料を使用するインクジェットの印刷エンジンでよく、カットシート媒体に沿ってインク材料を移送する中間物上に放出されるインク材料を使用するインクジェットの印刷エンジンでよく、またはカットシート媒体に付着させるトナー材料を使用する電子写真方式印刷エンジンでもよい。印刷エンジン１、１１、３１は白黒画像またはカラー画像を印刷するのに適切であり得る。カットシートの媒体は、紙、プラスチック、または他の適切な受け入れ媒体でよい。インクジェットの印刷エンジンの場合、使用されるインク材料は、高温溶融インク、ＵＶ硬化性インク、水性インク、および／またはラテックスインクでよい。
【００３０】
図５は、小さい字で１、２と番号付けられたカットシートの両面に両面印刷するための、小さい字で１および２と番号付けされたカットシートの面の印刷シーケンスＰＳを示す。本発明の方法の原理を示すために２枚のカットシートが示されているが、本発明の範囲内で、より多数の複数のカットシートが想定され得る。小さい字で１と番号付けられたカットシートが、テキスト「１：前面」によって示される前面と、テキスト「１：背面」によって示され、数「２」が備わっている背面とを有する。小さい字で２と番号付けられたカットシートが、テキスト「２：前面」によって示された前面と、テキスト「２：背面」によって示された背面とを有する。最終製品においてカットシート１および２の両面上の続くページに印刷されるべき複数の画像は、大きい字の「１」、「２」、「３」および「４」が備わっている画像であるが、任意の他の画像が想定され得る。
【００３１】
次に、複数の画像の印刷順序を、図８に示されるような本発明による方法の流れ図と組み合わせて説明する。開始点Ａは第１のステップＴ１に通じる。第１のステップＴ１によって、小さい字で１と番号付けられたカットシートが、カットシート印刷システムの入力ホルダから分離されて印刷エンジンへ移送される。第２のステップＴ２によって、小さい字で１と番号付けられたカットシートの前面に、大きい字の「１」を表すビットマップが印刷される。第３のステップＴ３によって、小さい字で１と番号付けられたカットシートが、裏返しモジュールに移送されて、裏返しモジュールによって裏返される。第４のステップＴ４によって、小さい字で１と番号付けられたカットシートが印刷エンジンに再び移送されて、小さい字で１と番号付けられたカットシートの背面に、大きい字の「２」を表すビットマップが印刷される。第５のステップＴ５によって、小さい字で１と番号付けられたカットシートが、カットシート印刷システムの出力ホルダに置かれる。ステップＴ１−Ｔ５は、先行技術による図７のステップＳ１−Ｓ５と同じものである。
【００３２】
第６のステップＴ６によって、小さい字で２と番号付けられたカットシートが、カットシート印刷システムの入力ホルダから分離されて印刷エンジンへ移送される。第７のステップＴ７によって、小さい字で２と番号付けられたカットシートの前面に、大きい字の「４」を表すビットマップが印刷される。第８のステップＴ８によって、小さい字で２と番号付けられたカットシートが、裏返しモジュールに移送されて、裏返しモジュールによって裏返される。第９のステップＴ９によって、小さい字で２と番号付けられたカットシートが印刷エンジンに再び移送されて、小さい字で２と番号付けられたカットシートの背面に、大きい字の「３」を表すビットマップが印刷される。第１０のステップＴ１０によって、小さい字で２と番号付けられたカットシートが、裏返しモジュールに再び移送されて、裏返しモジュールによって裏返される。第１１のステップＴ１１によって、小さい字で２と番号付けられたカットシートが、カットシート印刷システムの出力ホルダに置かれる。この方法は終了点Ｂにおいて終了する。
【００３３】
裏返すステップＴ３およびＴ８は、通常の両面印刷の、２重ループモジュールによって裏返すステップに似ている。裏返すステップＴ１０は追加であり、図４の先行技術の場合の、知られている印刷順序で印刷する通常の印刷ステップＳ７およびＳ９と比較すると、数「４」を表すビットマップを印刷するステップＴ７と数「３」を表すビットマップを印刷するステップＴ９が交換されているので、必要なものである。小さい字で２と番号付けられたカットシートを分離するステップＴ６は、小さい字で１と番号付けられたカットシートを印刷して裏返すステップＳ２−Ｓ４の前に計画されてよい。
【００３４】
もたらされる見開きＲＳ（図５を参照されたい）は、数「２」および「３」を表すビットマップの印刷を有する２つの続くページが見開きを形成することを示す。この２ページの見開きは、どちらも、１および２と番号付けられたカットシートの背面に印刷されている。このように、カットシートの異なる面に印刷することにより、印刷品質の問題が回避された。もたらされるドキュメントのページ順は、ドキュメントの仕様、すなわち「１」、「２」、「３」および最後に「４」が来るシーケンスの順番で指定されたページ順に、依然として準拠している。本発明による方法は、２アップの小冊子および折り丁に対してもうまく機能する。
【００３５】
より多数の複数のカットシートが印刷される場合には、それに応じて、ステップＴ１−Ｔ１１が繰り返されてよい。複数のカットシートの並行処理が想定され得る。図２のカットシート印刷システム２０および図３のカットシート印刷システム３０は、それぞれ図８による方法の第１の実施形態のステップＴ１−Ｔ１１を実行するように構成されている。図２の制御ユニット１２および図３の制御ユニット３２は、それぞれ図８によるステップＴ１−Ｔ１１を実行するようにプログラムされている。
【００３６】
図６は、カットシート１、２の両面に両面印刷するための、１および２と番号付けされたカットシートの面の印刷シーケンスＰＳを示す。本発明の方法の原理を示すために２枚のカットシートが示されているが、本発明の範囲内で、より多数の複数のカットシートが想定され得る。１と番号付けられたカットシートは、テキスト「１：前面」によって示される前面と、テキスト「１：背面」によって示され、数「２」が備わっている背面とを有する。２と番号付けられたカットシートは、テキスト「２：前面」によって示された前面と、テキスト「２：背面」によって示された背面とを有する。最終製品においてカットシート１および２の両面上の続くページに印刷されるべき複数の画像は、大きい字の「１」、「２」、「３」および「４」が備わっている画像であるが、任意の他の画像が想定され得る。次に、複数の画像の印刷順序を、図９に示されるような本発明による方法の流れ図と組み合わせて説明する。開始点Ａは第１のステップＶ１に通じる。
【００３７】
第１のステップＶ１によって、１と番号付けられたカットシートが、カットシート印刷システムの入力ホルダから分離されて印刷エンジンへ移送される。第２のステップＶ２によって、１と番号付けられたカットシートの前面に、大きい字の「１」を表すビットマップが印刷される。第３のステップＶ３によって、１と番号付けられたカットシートが、裏返しモジュールに移送されて、裏返しモジュールによって裏返される。第４のステップＶ４によって、１と番号付けられたカットシートが印刷エンジンに再び移送されて、１と番号付けられたカットシートの背面に、大きい字の「２」を表すビットマップが印刷される。第５のステップＶ５によって、１と番号付けられたカットシートが、カットシート印刷システムの出力ホルダに置かれる。ステップＶ１−Ｖ５は、図８のステップＴ１−Ｔ５と同じものである。
【００３８】
第６のステップＶ６によって、２と番号付けられたカットシートが、カットシート印刷システムの入力ホルダから分離されて印刷エンジンへ移送される。第７のステップＶ７によって、２と番号付けられたカットシートが、裏返しモジュールに移送されて、裏返しモジュールによって裏返される。第８のステップＶ８によって、２と番号付けられたカットシートの背面に、大きい字の「３」を表すビットマップが印刷される。第９のステップＶ９によって、２と番号付けられたカットシートが、裏返しモジュールに再び移送されて、裏返しモジュールによって裏返される。第１０のステップＶ１０によって、２と番号付けられたカットシートが印刷エンジンに再び移送されて、２と番号付けられたカットシートの前面に、大きい字の「４」を表すビットマップが印刷される。第１１のステップＶ１１によって、２と番号付けられたカットシートが、カットシート印刷システムの出力ホルダに置かれる。この方法は終了点Ｂにおいて終了する。
【００３９】
裏返すステップＶ３およびＶ９は、通常の両面印刷の、２重ループモジュールによって裏返すステップに似ている。裏返すステップＶ７は追加であり、図４の先行技術の場合の、知られている印刷シーケンスの順番の通常の印刷ステップＳ７およびＳ９と比較すると、数「３」を表すビットマップを印刷するステップＶ８と数「４」を表すビットマップを印刷するステップＶ１０が同じ印刷シーケンスの順番であるため、必要なものである。
【００４０】
もたらされる見開きＲＳ（図６を参照されたい）は、数「２」および「３」を表すビットマップの印刷を有する２つの続くページが見開きを形成することを示す。この２ページの見開きは、どちらも、１および２と番号付けられたカットシートの背面に印刷されている。このように、カットシートの異なる面に印刷することにより、印刷品質の問題が回避された。もたらされるドキュメントのページ順は、ドキュメントの仕様、すなわち「１」、「２」、「３」および最後に「４」が来るシーケンスの順番で指定されたページ順に、依然として準拠している。
【００４１】
より多数の複数のカットシートが印刷される場合には、それに応じて、ステップＶ１−Ｖ１１が繰り返されてよい。複数のカットシートからの各カットシートの並行処理が想定され得る。図１のカットシート印刷システム１０および図３のカットシート印刷システム３０は、それぞれ図９による方法の第２の実施形態のステップＶ１−Ｖ１１を実行するように構成されている。図１の制御ユニット２および図３の制御ユニット３２は、それぞれ図９によるステップＶ１−Ｖ１１を実行するようにプログラムされている。
【００４２】
当業者なら、他の実施形態が添付の特許請求の範囲の範囲内で可能であることを理解するであろう。
【図１】
0006484258.tif 000002
【図２】
0006484258.tif 000003
【図３】
0006484258.tif 000004
【図４】
0006484258.tif 000005
【図５】
0006484258.tif 000006
【図６】
0006484258.tif 000007
【図７】
0006484258.tif 000008
【図８】
0006484258.tif 000009
【図９】
0006484258.tif 000010